(57)【要約】【課題】データ送受信における外部ポートが邪魔とならず、かつデータ通信に関する機構を確実に保護することのできる遊技機を提供すること。【解決手段】パチンコ機本体、遊技盤、機構盤、扉枠７等のパネル体を組み立てて一体化するようにしたパチンコ遊技機において、上受け皿８のデッドスペースを利用して携帯通信端末用の通信スペースを形成し、側面に形成した扉４１方向から携帯通信端末を通信スペース内に挿入可能とする。そしてして通信スペース内でデータの授受をさせるようにする。これによってデータ送受信における格別邪魔となるような構成が露出することがなく、かつデータ通信に関する機構を確実に保護することができることとなる。【選択図】      図１
2004174050.tif 000002
【特許請求の範囲】
【請求項１】
機能の異なる複数の構造体を組み立てることで構成され、所定の遊技を行う遊技面と操作部とを遊技者と対面する前面側に備えている遊技機において、
前記遊技者が対面する遊技面周囲の所定位置に携帯通信端末用の挿入通路を形成し、表面に開口された開口部から同携帯通信端末を同挿入通路内に挿入して同挿入通路内部にて内蔵されたデータ通信部との間でデータの授受を行うようにしたことを特徴とする遊技機。
【発明の詳細な説明】
【０００１】
【発明の属する技術分野】
本発明は、パチンコ遊技機、パチロット、スロットマシン等の遊技機に関し、特に携帯通信端末に対してデータの送信が可能な遊技機に関するものである。
【０００２】
【従来の技術】
例えばパチンコ遊技機のような遊技機では集客性を上げるために従来から様々な遊技者の興趣を誘う手法を採用している。例えば、装飾用のランプを点滅させたり、ディスプレイの表示内容を変化させたり、効果音をスピーカから出力させたりといった遊技状態の変化を報知させるようにしている。
そして、近年では遊技状態の報知を携帯通信端末を介して遊技者に報知するサービスを行う旨の技術（例えば特許文献１）が提案されている。特許文献１では携帯端末３にアダプター４と充電台２を介して充電させるとともにこれらを介してデータ通信をさせるような構成となっている。データ内容としては例えばパチンコ台やパチンコ店舗の情報が得られるというものである。
このような技術によれば遊技者は様々な遊技に関する情報を携帯通信端末から入手できることとなっておもしろさが増すため集客性の向上に貢献することとなる。
【０００３】
【特許文献１】
特開平１０−１７９９２１号公報（段落番号００１５〜００１７、図１及び図３）
【０００４】
【発明が解決しようとする課題】
ところで、この特許文献１の構成では充電台２が遊戯台の前面に前方に突出して、別体として配設されている。しかし、直接遊技に関係のないこのような充電台２は遊技においてはかえって邪魔である。そもそも特に携帯通信端末を所持しない遊技者には充電台２は無用の構成である。
そのため充電台２という形態を採らずに遊戯台の前面にデータ通信を行うための外部ポート（例えばコンセント等）を配設し、この外部ポートのみを露出させておく、という手段も考えられる。
しかし、外部ポートをなんらの包囲手段もなく完全に外部に露出させてしまうと故意あるいは過失で外部ポートが傷つけられてしまうおそれがある。
更に、データ通信の手段として例えば赤外線等を利用した光通信モジュールの外部ポート（赤外線用ガラスウィンド）を介しての非接触型のデータ送受信を採用した場合では光通信モジュールの外部ポートをなんらの包囲手段もなく完全に外部に露出させてしまうと上記の傷付けられるという問題に加え、第三者が自分の携帯通信端末をかざしてデータを盗んでしまうという不正を働く可能性も生ずる。
本発明は、このような従来の技術に存在する諸問題点に着目してなされたものである。その目的とするところは、データ送受信における外部ポートが邪魔とならず、かつデータ通信に関する機構を確実に保護することのできる遊技機を提供することにある。
【０００５】
【課題を解決するための手段】
上記の目的を達成するために、請求項１に記載の発明では、機能の異なる複数の構造体を組み立てることで構成され、所定の遊技を行う遊技面と操作部とを遊技者と対面する前面側に備えている遊技機において、前記遊技者が対面する遊技面周囲の所定位置に携帯通信端末用の挿入通路を形成し、表面に開口された開口部から同携帯通信端末を同挿入通路内に挿入して同挿入通路内部にて内蔵されたデータ通信部との間でデータの授受を行うようにしたことをその要旨とする。
【０００６】
請求項１の発明のような構成では、遊技者が対面する遊技面周囲の所定位置、例えば扉枠や上受け皿等に携帯通信端末用の挿入通路を形成する。そして、その通路内部においてデータ通信部との間でデータの授受を行うようにする。データ通信部は通路内部に配置されても通路に隣接して配置されても構わない。
【０００７】
【発明の効果】請求項１に記載の発明では、データ通信部との間でのデータの授受が遊技面周囲の所定位置に形成された挿入通路内部において行われるためデータ送受信における格別邪魔となるような構成が露出することがなく、かつデータ通信に関する機構を確実に保護することができることとなる。
【０００８】
【発明の実施の形態】
以下、本発明をパチンコ遊技機に応用した実施の形態について図面に基づいて説明する。まず、図１〜３に基づいて各実施の形態で共通するパチンコ遊技機の概略を説明する。
パチンコ遊技機の支持枠体としての外枠１は上下左右の各枠板１ａ〜１ｄによって四角形に枠組みされた木製の枠体とされている。外枠１には遊技機本体としてのパチンコ機本体３が装着されている。パチンコ機本体３はパチンコ遊技機の構造的な中核を形成するパネル状の構造体である。図２に示すように、パチンコ機本体３を中心としてその他のパネル状の構造体がその前後方向に積層状に配置されている。
パチンコ機本体３の上半身に形成された遊技盤取り付けスペース３ａには遊技盤５が嵌合されている。遊技盤５の前面は遊技面５ａとされている。遊技盤５の前方には扉枠７が配設されている。遊技盤５の中央には特別図柄表示装置６が配設され、同表示装置６の下方位置裏面側には主基板９が配設されている。
扉枠７の上方位置にはガラス窓Ｇが嵌合されており、同ガラス窓Ｇの下方位置にはパチンコ球受け皿としての上受け皿８が形成されている。遊技者は遊技状態においてガラス窓Ｇを通して遊技盤５側の遊技面５ａと対面することとなる。遊技盤５の後方位置には機構盤１０とが配設されている。機構盤１０の直下には基板プレート１１が配設されている。基板プレート１１には図示しない発射基板、電源基板、払い出し基板の各ケースが搭載されている。
遊技盤５の下方位置にはカバープレート１３が配設されている。カバープレート１３はパチンコ機本体３に対して固着されている。カバープレート１３の裏面にはパチンコ球発射機構１４が配設されている。カバープレート１３には前方に突出形成した下受け皿１５が形成されている。下受け皿１５の右側方には操作ハンドル１７が取付けられている。
図１に示すように、パチンコ遊技機の遊技者側から見て左側面（つまり左枠板１ｃ）にはプリペイドカードユニット１９が配設されている。
【０００９】
（実施の形態１）
次に図１〜図７に基づいて実施の形態１における上受け皿８に形成された携帯端末としての携帯電話Ｔを収容する挿入通路としての通信スペース２１周辺の構成について説明する。尚、以下の説明において左右とは図３における左右方向を言うものとする。
まず、上受け皿８について説明する。本実施の形態１では図１に示すようにガラス窓Ｇを包囲する装飾パネルＰから意匠的に連続し前方に膨出状に突出形成されている部分全体を上受け皿８とする。
上受け皿８の上面には上記機構盤１０から放出されパチンコ球導入口２３から導入されたパチンコ球が放出される流下面２４が形成されている。流下面２４は右側下がりの傾斜に形成されるとともに、下流側（右側）が徐々に狭くなってパチンコ球が縦列配置される狭窄通路２５が形成されている。狭窄通路２５の前方には丘陵部２７が形成されている。丘陵部２７は流下面２４に対して高い位置の頂上部２８から後方（つまり狭窄通路２５方向）に向かって斜めに下がる傾斜部２９を備えている。
【００１０】
上受け皿８の前方には前壁部３１が形成されている。前壁部３１は装飾パネルＰと意匠的に連続的に形成された樹脂フレームから構成されている。前壁部３１は前方に張り出してし流下面２４及び丘陵部２７を左右及び前方から包囲している。前壁部３１の上端は丘陵部２７位置においてはほぼ頂上部２８と同高さとされるが、左方位置においては相対的に流下面２４よりも上方に位置することとなる。そのため、前壁部３１は流下面２４の周囲においてはパチンコ球の飛び出しを防止する包囲部３２を兼ねている。
狭窄通路２５最下流には後方の球送り機構３５に連通する供給口３３が形成されている。球送り機構３５によってパチンコ球は上記パチンコ球発射機構１４へ１つずつ順次送り込まれていく。狭窄通路２５の右端には通常球送り機構３５と導かれるパチンコ球を下受け皿１５への迂回通路方向に導くための球抜きボタン３６が配設されている。
【００１１】
通信スペース２１は上受け皿８の内部であって前記丘陵部２７のちょうど下面裏位置に形成されている。図４及び図５に示すように、丘陵部２７の下面裏位置には上下及び縦横に補強フレーム３９が配設されており、通信スペース２１は補強フレーム３９に包囲された空間として構成される。図１、図４及び図５に示すように、通信スペース２１は上受け皿８の前壁部３１右側面に開口する開口部４０を備えている。図１及び図４に示すように、開口部４０には同開口部４０を閉塞する扉４１が配設されている。扉４１はヒンジ部４２を中心に内側に向かって回動可能に支持され、コイルバネ４３によって常時は閉塞方向に付勢されている。
【００１２】
通信スペース２１の天井部４５（補強フレーム３９）の裏位置には赤外線ユニット４６が配設されている。赤外線ユニット４６は携帯通信端末Ｔとの間で赤外線通信を行う（本実施の形態ではパチンコ遊技機の遊技情報を携帯通信端末Ｔに取り込ませる）ための通信装置である。赤外線ユニット４６は上記主基板９に接続されている。赤外線ユニット４６は非接触型データ通信部としての赤外線ポート４７を備えており天井部４５から下面（つまり通信スペース２１内部側）に向いて露出されている。赤外線ポート４７に隣接する位置には通信開始手段、第１の位置検出手段としての光センサ４９が配設されている。
図１及び図５に示すように、前壁部３１の前方右寄り（通信スペース２１の前方位置）には通信状態報知手段（第１の報知手段）及び取り忘れ報知手段（第２の報知手段）としての複数の（ここでは３つ）報知ランプ５１が水平に配設されている。報知ランプ５１の上方であって扉枠７前面位置には通信状態報知手段（第１の報知手段）及び取り忘れ報知手段（第２の報知手段）としての携帯通信端末用表示装置（以下、サブ表示部とする）５２が配設されている。サブ表示装置５２は液晶ディスプレイ（ＬＣＤ）よりなる表示部５２ａを備えている。報知ランプ５１の左側方には赤外線センサ５４が配設されている。
【００１３】
次に、本パチンコ遊技機の電気的構成について図７に基づいて簡単に説明する。尚、本発明と直接関係ない構成についての説明は省略する。
主基板９には赤外線ユニット４６、光センサ４９、報知ランプ５１、サブ表示装置５２、取り忘れ報知手段（第３の報知手段）としてのスピーカ５３、不在報知手段としての赤外線センサ５４が接続されている。
主基板９にはリードオンリーメモリ（ＲＯＭ）、ランダムアクセスメモリ（ＲＡＭ）、中央処理装置（ＣＰＵ）が配設されている。ＲＯＭはパチンコ遊技機の制御プログラムや各種プログラムを実行するための初期データがあらかじめ記憶されている。ＲＡＭは新たな入力データやＣＰＵによる演算結果を一旦記憶する。ＣＰＵ４はこれらメモリのプログラムやデータに基づいて演算処理を行う。
主基板９は光センサ４９や赤外線センサ５４の入力信号に基づいて赤外線ユニット４６、報知ランプ５１及びスピーカ５３を制御する。また、主基板９は遊技情報の送信に関する所定の状況をサブ表示装置５２の表示部５２ａに表示させる。
【００１４】
次に、このように構成されたパチンコ遊技機において携帯通信端末Ｔへの赤外線通信を利用したデータ送信をする際の手順について説明する。図６（ａ）及び（ｂ）に示すように本実施の形態の携帯通信端末Ｔでは裏面下部寄りに端末側赤外線ポート５５が形成されている。
まず、遊技者は通常消灯状態にある報知ランプ５１の常時全点灯とサブ表示装置５２の表示部５２ａを確認する。報知ランプ５１の点灯は例えば通常大当たり回数、確変大当たり回数や出球数等の遊技情報の送信が可能な状態になった段階で上記主基板９の制御下で行われる。表示部５２ａには例えば「パチンコ機から送信するデータがあります。携帯電話をご用意ください。」等の文字表示をさせる。
【００１５】
次いで、遊技者は携帯通信端末Ｔの上部寄りを把持し図５に示すように端末側赤外線ポート５５が上面を向くように、開口部４０から通信スペース２１内に挿入していく。携帯通信端末Ｔの下端が当接する扉４１は携帯通信端末Ｔによって押されて携帯通信端末Ｔの進入を許容する。本実施の形態１では遊技者は携帯通信端末Ｔを通信スペース２１の最深壁面４８の近辺に配置させた光センサ４９に対面する位置まで進入させる。光センサ４９が携帯通信端末Ｔを検出した状態において携帯通信端末Ｔの端末側赤外線ポート５５は通信スペース２１内に露出された赤外線ユニット４６の赤外線ポート４７と若干の距離をおいてほぼ対向配置されることとなる。光センサ４９が携帯通信端末Ｔを検出すると表示部５２ａには例えば「携帯電話がセットされました送信を開始します。」等の文字表示をさせる。
尚、この受信可能位置において携帯通信端末Ｔの上部寄りは外部に露出されている。
【００１６】
光センサ４９の携帯通信端末Ｔの検出による入力信号に基づいて主基板９は赤外線ユニット４６を介してデータ送信を開始する。主基板９はデータ送信開始とともに報知ランプ５１の点灯状態を常時全点灯状態から一旦すべて消灯させる。そして、データの送信時間に併せて順次（例えば右側の報知ランプ５１から）点灯させていき、データ送信中であることを遊技者に報知する。表示部５２ａには例えば「データ送信中です。」等の文字表示をさせる。
【００１７】
そして、データ送信が完了するとすべての報知ランプ５１を常時全点灯させ、次いで常時全点滅状態とする。常時全点灯によってデータ送信が完了したことが遊技者に報知されるとともに常時全点滅することで携帯通信端末Ｔの取り出しを促す。同時に表示部５２ａには例えば「データ送信が完了しました。携帯電話を忘れないで下さい。」等の文字表示をさせる。遊技者はデータ送信の完了に伴って携帯通信端末Ｔを取り出すと再び扉４１は復帰し開口部４０が閉じられる。
更に本実施の形態１ではデータ送信完了後、１分以内の取り出しが行われなかった場合、つまり１分以内に光センサ４９からの入力信号が遮断されない場合には主基板９はスピーカ５３を制御して警告音を発するようにする。
また、通信スペース２１内への携帯通信端末Ｔの挿入状態において、つまり主基板９は光センサ４９からの入力信号がある場合において赤外線センサ５４が遊技者を検出しなくなると、主基板９はスピーカ５３を制御して同様に警告音を発するようにする。また、これらスピーカ５３からの音声警告に伴って同時に表示部５２ａには例えば「注意！携帯電話を取り忘れてます。」等の文字表示をさせる。
【００１８】
このように構成することで本実施の形態１では次のような効果を奏する。
（１）赤外線ポート４７は通信スペース２１内部に格納されているため故意や過失によってこれが傷つけられたりする可能性はほとんどない。また、赤外線ポート４７が通信スペース２１内部に格納されているため第三者が第三者の携帯通信端末Ｔを赤外線ポート４７にかざしてデータを盗むといった不正が生じる可能性もほとんどない。
（２）携帯通信端末Ｔを通信スペース２１に奧まで挿入するだけで、データの受信ができるため、スイッチの入力という手間がなく、パチンコ遊技に専念する遊技者の興趣をそぐようなことがない。また、携帯通信端末Ｔの上部は開口部４０から外側に露出されているためデータの受信が完了した時に取り出し易い。
（３）携帯通信端末Ｔを通信スペース２１に挿入してしまえば遊技者はデータ受信後まで手で携帯通信端末Ｔを支えている必要がないので便利であり、パチンコ遊技に専念する遊技者の興趣をそぐようなことがない。
（４）赤外線ポート４７は通信スペース２１内部の上方に配置され、通信スペース２１に挿入された携帯通信端末Ｔの端末側赤外線ポート５５との間には若干の距離（間隔）が設けられている。そのため、携帯通信端末Ｔの機種の違いによって多少端末側赤外線ポート５５の位置がずれていても赤外線ポート４７からのデータの受信が可能となっている。
【００１９】
（５）データの送信状況が報知ランプ５１によって目視できるとともに、データ送信の完了も目視できるため、通信が完了した場合には速やかに携帯通信端末Ｔを取り出すことができる。
（６）データの送信状況が報知ランプ５１によって目視できる所定のデータが入手できたかどうかを確認できるとともに、このように目視すること自体が遊技の興趣を高めることとなる。
（７）携帯通信端末Ｔの取り出しが行われない場合にはスピーカ５３から警告音を発するため、遊技者が携帯通信端末Ｔを取り忘れるといった不具合が解消される。
（８）携帯通信端末Ｔの取り出しをせずに遊技者が席を立つとスピーカ５３から警告音を発するため、遊技者が携帯通信端末Ｔを取り忘れたまま用足し等へ行ってしまうといった不具合が解消される。
（９）サブ表示装置５２の表示部５２ａに携帯通信端末への遊技情報のデータ送信に関するいろいろな文字情報を表示させることができ、情報内容が遊技者により具体的に伝達されることとなり、遊技者はその指示に従ってデータの受信に関するサービスを受けることができるため便利である。
（１０）報知ランプ５１とサブ表示装置５２と両方の通信状態報知手段（第１の報知手段）及び取り忘れ報知手段（第２の報知手段）によって確実に遊技者に携帯通信端末Ｔを使用したデータ通信に関する情報を付与することが可能となっている。
【００２０】
（１１）通常デッドスペースとなっている丘陵部２７の下面裏位置に通信スペース２１を設けているため、新たなスペースを用意する必要がなく、設計の変更に伴うコストアップを比較的抑制することができる。
（１２）遊技者の携帯通信端末Ｔの操作においても遊技面５ａに比較して前方に張り出した構成（上受け皿８）に対して携帯通信端末Ｔを挿入することとなって、より遊技者に近い位置にてデータ受信ができることとなり、第三者のデータの不正窃取の抑止効果がある。
更に、開口部４０が上受け皿８の側方に形成されて挿入方向が遊技面５ａと平行となるため、携帯通信端末Ｔを前後方向に差し込む場合に比べて手を左右方向に軽く振ればいいこととなり人間工学的にも携帯通信端末Ｔの挿入動作がしやすくなっている。
【００２１】
（実施の形態２）
次に図１〜３、図８〜図１２に基づいて実施の形態２における上受け皿８周辺の構成について説明する。図１については図８に示すように扉開放ボタン６７が配設されていることだけが実施の形態１との違いである。尚、実施の形態２において実施の形態１と同様の構成については図面上同符号を付して詳しい説明は省略する。
実施の形態２おける通信スペース２１も上受け皿８の内部であって前記丘陵部２７のちょうど下面裏位置に形成されている。実施の形態２においては補強フレーム３９によって包囲される空間としての通信スペース６１は実施の形態１よりも左右方向が長く構成されている。通信スペース６１の内周面、すなわち通信スペース６１を構成する補強フレーム３９の内側には電波シールド体６２が隙間なく貼着されている。電波シールド体６２は例えば電波の遮蔽能力の高い電波吸収素材から構成されている。
【００２２】
通信スペース２１の底部４５（補強フレーム３９）の裏位置にはブルートゥースユニット６３が配設されている。「ブルートゥース」は無線通信システムの一種であって、通信距離約１０ｍ、通信速度１Ｍｂｐｓ（ビット／秒）に設定された高周波の電波を使用する無指向性の短距離通信システムである。ユニットの小型化とシステムとして低価格化を図ることのできる携帯通信端末の次世代用通信プロトコルとして有望視されている。
ブルートゥースユニット６３はケーブル６４を介して底部４５上面（つまり通信スペース２１内部）に配設されたアンテナ６５に接続されている。
図１及び図５に示すように、前壁部３１の前方右寄り（通信スペース２１の前方位置）には通信状態報知手段（第１の報知手段）及び取り忘れ報知手段（第２の報知手段）としての複数の（ここでは３つ）報知ランプ５１が水平に配設されている。報知ランプ５１の斜め上方には扉開放ボタン６７が配設されている。
報知ランプ５１の上方であって扉枠７前面位置には通信状態報知手段（第１の報知手段）及び取り忘れ報知手段（第２の報知手段）としての携帯通信端末用表示装置（以下、サブ表示部とする）５２が配設されている。サブ表示装置５２は液晶ディスプレイ（ＬＣＤ）よりなる表示部５２ａを備えている。報知ランプ５１の左側方には赤外線センサ５４が配設されている。
【００２３】
図８〜図１０に示すように、通信スペース２１の底部４５には一対の送りローラ６９，７０が埋設されている。送りローラ６９，７０の上端はわずかに底部４５表面から上方に露出されている。送りローラ６９，７０は通信スペース２１に隣接して配設された第１のモータ７１からの駆動を受けて正逆回転するようになっている。
底部４５表面であって両送りローラ６９，７０の右方（開口部４０寄り）には第２の位置検出手段、扉閉鎖スイッチとしての光センサ７２が配設されている。開口部４０に面して上下動可能に扉４１が配設されている。扉４１は内側にラック部７５が形成されており、隣接して配置されるギア７６と噛合されている。ギア７６の正逆回転によって扉４１は上下方向にスライド移動するようになっている。ギア７６は通信スペース２１に隣接して配設された第２のモータ７７からの駆動を受けて回転するようになっている。扉４１の内面には上記電波シールド体６２が貼着されている。その結果、扉４１が閉じられた状態では通信スペース２１内では外部に電波が漏れず完全にシールドされることとなる。
【００２４】
次に、本パチンコ遊技機の電気的構成について図１１に基づいて簡単に説明する。尚、本発明と直接関係ない構成についての説明は省略する。
主基板９には光センサ７２、報知ランプ５１、サブ表示装置５２、取り忘れ報知手段（第３の報知手段）としてのスピーカ５３、取り忘れ報知手段（第３の報知手段）としての赤外線センサ５４、ブルートゥースユニット６３、扉開放ボタン６７、第１及び第２のモータ７１，７７、光センサ７２、第１及び第２のリミットスイッチ７８，７９が接続されている。第１及び第２のリミットスイッチ７８，７９は扉４１に隣接して配設され、扉４１の開放位置及び閉鎖位置を決定する。
主基板９にはリードオンリーメモリ（ＲＯＭ）、ランダムアクセスメモリ（ＲＡＭ）、中央処理装置（ＣＰＵ）が配設されている。ＲＯＭはパチンコ遊技機の制御プログラムや各種プログラムを実行するための初期データがあらかじめ記憶されている。ＲＡＭは新たな入力データやＣＰＵによる演算結果を一旦記憶する。ＣＰＵ４はこれらメモリのプログラムやデータに基づいて演算処理を行う。
主基板９は光センサ７２、赤外線センサ５４又は第２のリミットスイッチ７９の入力信号に基づいてブルートゥースユニット６３、報知ランプ５１及びスピーカ５３を制御する。また、主基板９は扉開放ボタン６７の入力及び光センサ７２の入力信号に基づいて第１及び第２のモータ７１，７７の駆動を制御する。更に、主基板９は遊技情報の送信に関する所定の状況をサブ表示装置５２の表示部５２ａに表示させる。
【００２５】
次に、このように構成されたパチンコ遊技機において携帯通信端末Ｔへの赤外線通信を利用したデータ送信をする際の手順について説明する。図１２に示すように本実施の形態の携帯通信端末Ｔでは内部に端末側ブルートゥースユニット８０が配設されている。
まず、遊技者は通常消灯状態にある報知ランプ５１の常時全点灯とサブ表示装置５２の表示部５２ａを確認する。報知ランプ５１の点灯は例えば通常大当たり回数、確変大当たり回数、や出球数等の遊技情報の送信が可能な状態になった段階で上記主基板９の制御下で行われる。表示部５２ａには例えば「パチンコ機から送信するデータがあります。携帯電話をご用意ください。」等の文字表示をさせる。
【００２６】
次いで、遊技者は扉開放ボタン６７を押下する。するとこの入力信号を受けて主基板９は第２のモータ７７を正回転（時計回り方向）させるように制御する。すると、同モータ７７の駆動を受けてギア７６が回転しラック部７５を介して常時は閉鎖状態にある扉４１が下方にスライド移動させられ開口部４０が開放される。扉４１が下動して第１のリミットスイッチ７８が入力されることによって主基板９は第２のモータ７７を停止させる。この位置が扉４１の開放位置とされる。
そして、遊技者は携帯通信端末Ｔを把持し、図８に示すように開口部４０から通信スペース２１内に挿入していく。この場合に携帯通信端末Ｔの挿入方向や表裏どちらを上面とするかは自由である。
【００２７】
遊技者が携帯通信端末Ｔを光センサ７２位置まで挿入すると、光センサ７２は携帯通信端末Ｔを検出し、この検出信号に基づいて主基板９は第１のモータ７１を正回転させるように制御する。同モータ７１の駆動を受けて送りローラ６９，７０は図８において反時計回り方向に回転させられる。挿入された携帯通信端末Ｔはまず手前側（図８における右側）の送りローラ６９に接触することで奥側に引き込まれ、次いでこれら２つの送りローラ６９，７０上に載置された状態で奧に向かって搬送される。携帯通信端末Ｔが奧に搬送されていくと所定位置で光センサ７２は携帯通信端末Ｔを検出しなくなる。
【００２８】
この光センサ７２からの検出信号の入力がなくなったことに基づいて主基板９は第１のモータ７１を停止させる。これによって携帯通信端末Ｔは通信スペース２１内に完全に収納された状態とされる。同時に主基板９は第２のモータ７７を逆回転（反時計回り方向）させるように制御する。これによってギア７６が回転し開放された扉４１が上方にスライド移動して開口部４０が閉鎖される。扉４１が上動して第２のリミットスイッチ７９が入力されることによって主基板９は第２のモータ７７を停止させる。この位置が扉４１の閉鎖位置とされる。このように扉４１が閉鎖されることによって携帯通信端末Ｔは完全に電波シールド体６２に覆われた空間に配置されることとなる。
【００２９】
扉４１の閉鎖（第２のリミットスイッチ７９の入力によって閉鎖状態を検出する）に続いて主基板９はデータ送信を開始する。これに伴って主基板９は表示部５２ａには例えば「携帯電話が収納されました送信を開始します。」等の文字表示をさせる。端末側ブルートゥースユニット８０は通信スペース２１内に配設されたアンテナ６５から発信される所定の周波数の電波に乗せたデータを受信する。データ送信開始とともに報知ランプ５１の点灯状態が常時全点灯状態から一旦すべて消灯される。そして、データの送信時間に併せて順次（例えば右側の報知ランプ５１から）点灯されていき、データ送信中であることが遊技者に報知される。表示部５２ａには例えば「データ送信中です。」等の文字表示をさせる。
【００３０】
そして、データ送信が完了するとすべての報知ランプ５１が常時全点灯し、次いで常時全点滅する。常時全点灯によってデータ送信が完了したことが遊技者に報知される。同時に表示部５２ａには例えば「データ送信が完了しました。携帯電話を忘れないで下さい。」等の文字表示をさせる。
【００３１】
同時に主基板９は第２のモータ７７を再び正回転させるように制御する。すると、ギア７６が回転し扉４１が下方にスライド移動して開口部４０が開放される。同時に主基板９は第１のモータ７１を逆回転させるように制御する。これによって送りローラ６９，７０は図８において今度は時計回り方向に回転させられる。これによって挿入された携帯通信端末Ｔは逆に開口部４０方向に搬送される。光センサ７２によって携帯通信端末Ｔの先端が検出されると、この検出信号に基づいて主基板９は第１のモータ７１を停止させる。これによって携帯通信端末Ｔの先端が取り出し容易となるようにわずかに開口部４０から外方に露出することとなる。そして、遊技者が携帯通信端末Ｔを取り出すと光センサ７２からの検出信号の入力がなくなったことに基づいて主基板９は第２のモータ７７を再び逆回転させるように制御する。すると、ギア７６が回転し扉４１が上方にスライド移動して開口部４０が閉鎖される。
更に本実施の形態１ではデータ送信完了後、１分以内の取り出しが行われなかった場合、つまり１分以内に光センサ７２からの検出信号の入力がなくならない場合には主基板９はスピーカ５３を制御して警告音を発するようにする。
また、携帯通信端末Ｔの通信スペース２１への挿入状態において、つまり主基板９への光センサ７２の入力信号がある場合において赤外線センサ５４が遊技者を検出しなくなると、主基板９は同様にスピーカ５３を制御して警告音を発するようにする。また、これらスピーカ５３からの音声警告に伴って同時に表示部５２ａには例えば「注意！携帯電話を取り忘れてます。」等の文字表示をさせる。
【００３２】
このように構成することで本実施の形態２では次のような効果を奏する。尚、実施の形態１の（５）〜（１２）の効果は本実施の形態２でも同様に生ずる。
（１）アンテナ６５は通信スペース２１内部に格納されているため故意や過失によってこれが傷つけられたりする可能性はほとんどない。
（２）アンテナ６５は完全に電波が遮断された電波シールド体６２内部に配置されているため、周囲に電波が漏れることがなく、データが当人以外の携帯通信端末Ｔに送信されるといった不具合が生じる可能性がない。
（３）携帯通信端末Ｔを通信スペース２１に挿入すると、自動的に携帯通信端末Ｔは奧に引き込まれてデータの受信ができるため、遊技者は携帯通信端末Ｔを支えている必要がないので便利であり、パチンコ遊技に専念する遊技者の興趣をそぐようなことがない。
（４）データの受信が完了すると携帯通信端末Ｔの先端が自動的に開口部４０から外部に露出されるため取り出しやすく、また取り出し忘れが少なくなる。
（５）データの送信状況が報知ランプ５１によって目視できるとともに、データ送信の完了も目視できるため、通信が完了した場合には速やかに携帯通信端末Ｔを取り出すことができる。
（６）ブルートゥースシステムの特徴として無指向性であるため、携帯通信端末Ｔをどのように通信スペース２１に配置してもデータ受信が可能となるため、遊技者は挿入方向について気にせずに携帯通信端末Ｔを通信スペース２１に挿入できることとなって遊技に集中できることとなって便利である。
【００３３】
尚、この発明は、次のように変更して具体化することも可能である。
・上記実施の形態では非接触型の通信システムとして赤外線を使用した光通信とブルートゥースを例として挙げたが、これら以外の非接触型の通信システムであってもよい。
・また、接触型の通信システムにも使用可能である。接触型の通信システムであってもその外部ポートを通信スペース２１内に配置することで、外部ポートが保護されることとなるためである。
・電波シールド体６２は上記では電波吸収素材（例えばフェライト性電波吸収体）を例として挙げたが、高性能電波遮蔽体や電波反射体を使用することも可能である。
・上記各実施の形態では上受け皿８に通信スペース２１を設けるようにしていたが、スペース的な余裕があれば他の遊技面周囲の所定位置に配設するようにしてもよい。例えば、下受け皿１５やパチンコ機本体３等に設けるようにしてもよい。
・上記各実施の形態では携帯通信端末への遊技情報のデータ送信に関するいろいろな情報をサブ表示装置５２を別途設けて表示するようにしたが、その位置・形状は上記に限定されるものではない。
・上記各実施の形態では携帯通信端末への遊技情報のデータ送信に関するいろいろな情報をサブ表示装置５２を使用して表示させたがその他の表示装置、例えば特別図柄表示装置６にこの旨の表示をさせるようにしてもよい。
【００３４】
・上記実施の形態２では扉４１はすべて自動的に開閉されるようになっていたが、遊技者が手で扉を開閉するような構成であってもよい。
・上記実施の形態１では位置検出手段として光センサ４９を使用したが他の検出手段であっても構わない。
・第１及び第２の報知手段として上記各実施の形態では一例として報知ランプ５１を挙げたが、他の手段であっても構わない。また、その位置や形状数量は適宜変更可能である。
・データ送信可能状態になった際にスピーカからその旨の音声を報知するようにしてもよい。
・遊技者の不在を検出する手段としては上記の赤外線センサ５４以外の手段であってもよい。
・実施の形態２において扉開放ボタン６７の代わりに表示部５２ａにタッチセンサを配設しタッチパネルとし、表示部５２ａの所定部位に接触することで扉４１を開放させるようにしてもよい。
・上記各実施の形態では報知ランプ５１とサブ表示装置５２を併設して遊技者に携帯通信端末Ｔを使用したデータ送信に関する情報を極めて遊技者に分かりやすく報知させるようにしていたが、報知ランプ５１のみあるいはサブ表示装置５２のみを配設するようにしてもよい。
・上記スピーカ５３は携帯通信端末Ｔの取り出しがされない場合や取り出しがされていない状態で遊技者が席を立った場合に警告音が鳴らされ、同時に表示部５２ａにその旨が文字表示されるようになっていたが、このような取り忘れ状態での報知手段はいずれか一方だけでもよい。
【００３５】
・本発明は他の遊技機、例えばスロットマシンやパチンコ遊技機とスロットマシンとを融合させたいわゆるパチロットに応用するようにしてもよい。
例えば図１３及び図１４に示すようにスロットマシンやパチロットの前面張り出し部９０の所定位置（図上では左方）に例えば上記実施の形態１のような通信スペース２１を配設するようにしてもよい。これら前面張り出し部９０は遊技面としての識別情報の動的表示（例えば上記図１３及び図１４では画面８１に現れる絵柄）位置よりも前方に突出して構成されている。本実施の形態では前面張り出し部上部のテーブル面８２に携帯通信端末Ｔを挿入する挿入口８３が形成されている。挿入口８３には扉８４が開閉可能に配設されている。また、サブ表示装置５２や赤外線センサ５４も備えている。
ここに、スロットマシンの基本構成としては、複数の識別情報からなる識別情報列を動的表示した後に識別情報を確定表示する可変表示手段を備え、始動用操作手段（例えば上記図１３では操作レバー８５）の操作に起因して識別情報の動的表示が開始され、停止用操作手段（例えば上記図１３ではストップボタン８６）の操作に起因して、あるいは所定時間経過することにより、識別情報の動的表示が停止され、その停止時の確定識別情報が特定識別情報であることを必要条件として、遊技者に有利な特別遊技状態を発生させる特別遊技状態発生手段を備えたものが挙げられる。この場合遊技媒体はコイン、メダル等が代表例として挙げられる。
また、パチロットの基本構成としては、複数の識別情報からなる識別情報列を動的表示した後に識別情報を確定表示する可変表示手段を備え、始動用操作手段（例えば上記図１４では操作レバー８５）の操作に起因して識別情報の動的表示が開始され、停止用操作手段（例えば上記図１４ではストップボタン８６）の操作に起因して、あるいは所定時間経過することにより、識別情報の動的表示が停止され、その停止時の確定識別情報が特定識別情報であることを必要条件として、遊技者に有利な特別遊技状態を発生させる特別遊技状態発生手段を備え、遊技媒体としては球を使用するとともに、前記識別情報の動的表示の開始に際しては所定数の球を必要とし、特別遊技状態の発生に際しては多くの球が払い出されるように構成したものが挙げられる。
その他、本発明の趣旨を逸脱しない態様で変更して実施することは自由である。
【００３６】
本発明の目的を達成するために上記実施の形態から把握できるその他の技術的思想について下記に付記として説明する。
（１）前記挿入通路は前記遊技面よりも遊技者側に突出した（張り出した）構造部に対して形成されていることを特徴とする請求項１に記載の遊技機。
このような構成ではより遊技者に近い位置にてデータ授受ができることとなり、第三者のデータの不正窃取の抑止効果がある。
（２）前記遊技者側に突出した構造部とは球受け皿であって、同球受け皿のデッドスペース部の内部に前記挿入通路を配置させるようにしたことを特徴とする付記１に記載の遊技機。
このような構成では挿入通路を形成するために新たなスペースを用意する必要がなく、設計変更も球受け皿付近のみを考慮すればよいためコストアップが比較的抑制されることとなる。球受け皿とは上記実施の形態では上受け皿８が相当する。
（３）挿入通路は球受け皿の左右方向に沿って形成されており、左右いずれかの方向に挿入口が開口されていることを特徴とする付記２に記載の遊技機。
このような構成では携帯通信端末を前後方向に差し込む場合に比べて手を左右方向に軽く振ればいいこととなり人間工学的にも携帯通信端末の挿入動作がしやすくなる。
【００３７】
（４）前記遊技面周囲の所定位置には携帯通信端末を使用したデータ通信に関する情報を視覚を通じて報知する第１の報知手段が配設されていることを特徴とする請求項１若しくは付記１〜３のいずれかに記載の遊技機。
このような構成とすれば遊技者はデータの授受状態を刻々と目視することができるため、自身の携帯通信端末を通じて所定のデータが入手できたかどうかを確認できるとともに、このように目視すること自体が遊技の興趣を高めることとなる。「データ通信に関する情報」とは具体的には例えばデータの授受状態をいいデータの送受信の開始、現状での送受信されている状態、送受信が完了した状態等が挙げられる。第１の報知手段は複数あっても構わない。
（５）前記複数の第１の報知手段のうち少なくとも１つは文字情報として表示画面に表示させるものであることを特徴とする付記４に記載の遊技機。
これによってより、情報内容を遊技者に具体的に報知できる。上記ではサブ表示装置５２の表示部５２ａがこれに相当する。ここに文字情報とは文字及び記号を含む概念である。
【００３８】
（６）データの授受処理が終了した前記携帯通信端末の取り出しを遊技者が忘れないように報知する第２の報知手段が配設されていることを特徴とする請求項１若しくは付記１〜５のいずれかに記載の遊技機。
このような構成では遊技者の携帯通信端末の取り出しを忘れてしまうことが少なくなる。ここに第２の報知手段としては視覚を通じて報知する場合や聴覚を通じて報知する場合がある。
（７）前記遊技面周囲の所定位置にはデータの授受処理が完了した前記携帯通信端末の取り出しを遊技者が忘れないように視覚を通じて報知する第２の報知手段が配設されていることを特徴とする付記６に記載の遊技機。
このような構成では特に目視でデータの授受処理が終了したことが分かるため遊技者の携帯通信端末の取り出しを忘れてしまうことが少なくなる。
（８）前記第１の報知手段は第２の報知手段を兼ねていることを特徴とする付記７に記載の遊技機。
例えばデータの授受処理が終了することによって点灯方法を変更するようにした発光手段（上記では報知ランプ５１）が考えられる。このように構成すればコスト削減となるとともに、スペース的にも有利となる。
（９）データの授受処理が完了した前記携帯通信端末の取り出しを遊技者が忘れないように前記第２の報知手段による報知と同時にあるいは所定時間を経過した後に報知する第３の報知手段が配設されていることを特徴とする付記７又は８に記載の遊技機。
これによって携帯通信端末の取り出しを忘れる可能性がさらに少なくなる。
第３の報知手段としては聴覚を通じて報知する音声報知や、遊技機のランプの点灯状態を変更する視覚を通じて報知する場合がある。
【００３９】
（１０）前記携帯通信端末の挿入通路内への挿入状態において遊技者の遊技面前方における不在を検出する不在検出手段を設けるようにしたことを特徴とする請求項１若しくは付記１〜９のいずれかに記載の遊技機。
これによってデータ受信中にあるいは完了後に遊技者が用足し等で席を立つ際に携帯通信端末を取り忘れてしまうといったことが防止される。不在検出手段とは上記各実施の形態では赤外線センサ５４が相当する。不在検出手段による検出の結果何らかの報知手段、例えば上記の第１〜第３の報知手段による報知が考えられる。
（１１）前記挿入通路内部には挿入された携帯通信端末の所定の挿入位置を検出する第１の位置検出手段が配設されており、同前記位置検出手段の検出を前提にデータの授受動作が行われることを特徴とする請求項１若しくは付記１〜１０のいずれかに記載の遊技機。
これによって不正確な配置状態でデータ送受信が行われることがない。第１の位置検出手段とは上記実施の形態では例えば光センサ４９とされる。
【００４０】
（１２）前記携帯通信端末と前記データ通信部とは非接触型の無線通信によってデータの授受を行うことを特徴とする請求項１若しくは付記１〜１１のいずれかに記載の遊技機。
（１３）前記携帯通信端末は前記挿入通路外に一部露出することを特徴とする請求項１若しくは付記１〜１２のいずれかに記載の遊技機。
これによって携帯通信端末の一部が外側に露出されることとなりデータの送受信が完了した時に取り出し易い。
（１４）前記携帯通信端末側データ通信部は同携帯通信端末が前記挿入通路内に配置された状態で前記データ通信部と所定の距離をおいて略対向配置されることを特徴とする請求項１若しくは付記１〜１３のいずれかに記載の遊技機。
これによって携帯通信端末側データ通信部（上記実施の形態では赤外線ポート４７）とが正確に対面していなくともデータの授受が可能となり、種々のデータの授受に指向性のある通信システムを導入している機種に対応させることが可能となる。
（１５）前記携帯通信端末は前記挿入通路内に完全に封入されてしまうことを特徴とする請求項１若しくは付記１〜１２のいずれかに記載の遊技機。
これによって無指向性の通信システムを使用する場合に外部に電波が漏れにくくなるため第三者がデータを受信しにくくなり有利である。
（１６）通路内部には電波シールド体が配設されていることを特徴とする請求項１若しくは付記１〜１５のいずれかに記載の遊技機。
これによって確実に電波が遮蔽され外部に漏れる可能性が極めて低くなる。特に無指向性の通信システムでは有効である。電波シールド体は遮蔽や反射や吸収をすべて含む概念である。
【００４１】
（１７）前記挿入通路の挿入口の扉は常時は閉塞され、遊技者の任意による開放手段の操作によって同扉は前記携帯通信端末の挿入可能に開放されるとともに、同挿入通路内部の第２の位置検出手段による同携帯通信端末の検出によって同扉は再度閉塞されることを特徴とする付記１５又は１６に記載の遊技機。
これによって挿入口の扉は常時は閉塞されているため不用意に遊技者が挿入通路内部を触るということがなくなり、これを原因とする不具合が生じる可能性が少なくなる。また、開放は遊技者の任意操作により行われるものの、閉塞は自動的にされるため遊技者が扉の閉塞操作を強いられることがない。ここに第２の位置検出手段とは上記実施の形態２では光センサ７２が相当する。開放手段とは例えば上記実施の形態２の扉開放ボタン６７が挙げられるが、上記付記５の表示画面をタッチパネルとして開放手段に応用してもよい。
（１８）前記携帯通信端末と前記データ通信部とのデータの授受は前記扉が再度閉塞されてから行われることを特徴とする付記１７に記載の遊技機。
これによって確実に電波が遮蔽されてからデータの授受が行われることとなり電波が外部に漏れることがない。
（１９）前記データの授受が完了すると前記扉は開放されることを特徴とする付記１８に記載の遊技機。
これによって遊技者が自ら扉を開ける必要がなく、また、扉が開放されることでデータの授受が完了したことが遊技者おいて容易にわかることとなる。
（２０）前記挿入通路内部には挿入された前記携帯通信端末の内部方向への挿入を補助する送り部材が配設されていることを特徴とする付記１５〜１９に記載の遊技機。
これによって遊技者は自ら奧まで携帯通信端末を送らなくともよくなるため、便利である。送り部材は検出手段によって所定位置で携帯通信端末を配置させることとなる。
（２１）前記挿入通路内部には挿入された前記携帯通信端末の内部方向への挿入を補助する送り部材が配設され、前記データの授受が完了すると前記扉が開放されるとともに同送り部材が同携帯通信端末を挿入口方向に送り返すようになっていることを特徴とする付記２０に記載の遊技機。
これによってデータの授受が完了したことが遊技者おいて容易にわかることとなる。
【００４２】
【図面の簡単な説明】
【図１】本発明の実施の形態のパチンコ遊技機の斜視図。
【図２】同じパチンコ遊技機の分解側面図。
【図３】同じパチンコ遊技機の上受け皿付近の平面図。
【図４】実施の形態１におけるパチンコ遊技機の上受け皿付近の一部破断部分拡大平面図。
【図５】実施の形態１におけるパチンコ遊技機の上受け皿付近の一部破断部分拡大正面図。
【図６】（ａ）及び（ｂ）は携帯通信端末の斜視図。
【図７】実施の形態１におけるパチンコ遊技機の電気的構成を説明するブロック図。
【図８】実施の形態２におけるパチンコ遊技機の上受け皿付近の一部破断部分拡大正面図。
【図９】実施の形態２におけるパチンコ遊技機の上受け皿付近の一部破断部分拡大平面図。
【図１０】実施の形態２におけるパチンコ遊技機の通信スペースを説明する説明図。
【図１１】実施の形態１におけるパチンコ遊技機の電気的構成を説明するブロック図。
【図１２】（ａ）は携帯通信端末の側面図（ｂ）は携帯通信端末の斜視図。
【図１３】本発明をスロットマシンに具現化した正面図。
【図１４】本発明をパチロットに具現化した正面図。
【符号の説明】５ａ…遊技面、２１…挿入通路としての通信スペース、４７…データ通信部としての赤外線ポート、６５…データ通信部としてのアンテナ、Ｔ…携帯通信端末。
【図１】
2004174050.tif 000003
【図２】
2004174050.tif 000004
【図３】
2004174050.tif 000005
【図４】
2004174050.tif 000006
【図５】
2004174050.tif 000007
【図６】
2004174050.tif 000008
【図７】
2004174050.tif 000009
【図８】
2004174050.tif 000010
【図９】
2004174050.tif 000011
【図１０】
2004174050.tif 000012
【図１１】
2004174050.tif 000013
【図１２】
2004174050.tif 000014
【図１３】
2004174050.tif 000015
【図１４】
2004174050.tif 000016